(57)【要約】【課題】  消費する電力を最小限に留めた上で、省電力モードでもオペレータ操作を的確に検出すること。【解決手段】  給紙トレー挿抜光センサ２２、及びカバー開閉光センサ１９は、装置の状態を検出し、センサ電源供給部４９は、上記両センサに電源を供給し、動作制御部６１は、両センサからの出力情報に基づいて装置の動作を制御し、動作部電源供給部７２は、動作制御部６１に電源を供給し、情報処理部４２は、所定の情報を処理すると共に動作部電源供給部７２を制御し、センサ変化検出部４７は、上記センサの出力変化を監視し、センサ電源供給部４９は、動作制御部６１への電源の供給が停止されると、上記両センサに間欠的に電源を供給し、情報処理部４２は、センサ変化検出部４７の出力変化を検出すると、動作部電源供給部７２から動作部６０に電源供給させる。【選択図】        図２
2007268786.tif 000002
【特許請求の範囲】
【請求項１】
消費電力を抑える省電力モードを有する装置であって、
前記装置の状態を検出する複数の検出器と、
前記検出器に電源を供給する検出器電源供給部と、
前記検出器からの出力情報に基づいて装置の動作を制御する動作制御部と、
前記動作制御部に電源を供給する動作部電源供給部と、
所定の情報を処理すると共に前記動作部電源供給部を制御する情報処理部と、
前記検出器の出力変化を監視する監視部とを備え、
前記検出器電源供給部は、前記動作制御部への電源の供給が停止されると、前記検出器に間欠的に電源を供給し、
前記情報処理部は、前記監視部が前記検出部の出力変化を検出すると、前記動作部電源供給部から前記動作制御部に電源供給させることを特徴とする省電力モードを有する装置。
【請求項２】
前記動作部電源供給部は、
前記情報処理部の制御により前記省電力モードに於ける電源供給停止機能を有することを特徴とする請求項１に記載の省電力モードを有する装置。
【請求項３】
前記装置の状態を検出する複数の検出器は、
オペレータ操作を検出する検出器であることを特徴とする請求項１に記載の省電力モードを有する装置。
【請求項４】
前記検出器電源供給部は、
前記複数の検出器に対して、異なるタイミングで間欠的に電源供給可能であることを特徴とする請求項１に記載の省電力モードを有する装置。
【請求項５】
前記複数の検出器は、発光素子と受光素子とを有し、両素子間に形成される光路を遮断・開放可能な介在要素を検出する光センサであることを特徴とする請求項１に記載の省電力モードを有する装置。
【請求項６】
消費電力を抑える省電力モードを有する画像形成装置であって、
前記画像形成装置の状態を検出する複数の検出器と、
前記検出器に電源を供給する検出器電源供給部と、
前記検出器からの出力情報に基づいて装置の動作を制御する動作制御部と、
前記動作制御部に電源を供給する動作部電源供給部と、
画像情報を処理すると共に前記動作部電源供給部を制御する情報処理部と、
前記検出器の出力変化を監視する監視部とを備え、
前記検出器電源供給部は、前記動作制御部への電源の供給が停止されると、前記検出器に間欠的に電源を供給し、
前記情報処理部は、前記監視部が前記検出部の出力変化を検出すると、前記動作部電源供給部から前記動作制御部に電源供給させることを特徴とする画像形成装置。
【請求項７】
前記動作部電源供給部は、
前記情報処理部の制御により前記省電力モードに於ける電源供給停止機能を有することを特徴とする請求項６に記載の画像形成装置。
【請求項８】
前記画像形成装置の状態を検出する複数の検出器は、
オペレータ操作を検出する検出器であることを特徴とする請求項６に記載の画像形成装置。
【請求項９】
前記検出器電源供給部は、
前記複数の検出器に対して、異なるタイミングで間欠的に電源供給可能であることを特徴とする請求項６に記載の画像形成装置。
【請求項１０】
前記複数の検出器は、発光素子と受光素子とを有し、両素子間に形成される光路を遮断・開放可能な介在要素を検出する光センサであることを特徴とする請求項６に記載の省電力モードを有する画像形成装置。
【発明の詳細な説明】
【技術分野】
【０００１】
本発明は、省電力モードを有する装置、及び該省電力モードを有する画像形成装置に関する。
【背景技術】
【０００２】
画像形成装置等に用いられる光センサにおける無駄な消費電力を抑えるための技術が開示されている（例えば特許文献１参照）。例えば用紙検出用のフォトインタラプタを例に挙げると、この種の技術では、フォトインタラプタの発光側素子への電源供給をオン・オフする制御手段を備え、例えば、画像形成装置のウォームアップ時や、スタンバイ時等、フォトインタラプタが用紙検出を実行する必要が無い時に電源供給をオフしている。
【特許文献１】特開平８−２０４８９０号公報
【発明の開示】
【発明が解決しようとする課題】
【０００３】
しかしながら、上記従来の技術では、フォトインタラプタの発光側素子への電源供給をオン・オフするのみであって、電源供給をオン・オフする制御手段に消費される消費電力に対しては何ら作用していない。一方、上記制御手段は、通常プリントエンジン部を制御するＣＰＵの機能として起動・生成されるので、このＣＰＵの稼動には大きな電力消費が伴うという解決すべき課題が残されていた。
【課題を解決するための手段】
【０００４】
消費電力を抑える省電力モードを有する装置であって、上記装置の状態を検出する複数の検出器と、上記検出器に電源を供給する検出器電源供給部と、上記検出器からの出力情報に基づいて装置の動作を制御する動作制御部と、上記動作制御部に電源を供給する動作部電源供給部と、所定の情報を処理すると共に上記動作部電源供給部を制御する情報処理部と、上記検出器の出力変化を監視する監視部とを備え、上記検出器電源供給部は、上記動作制御部への電源の供給が停止されると、上記検出器に間欠的に電源を供給し、上記情報処理部は、上記監視部が上記検出部の出力変化を検出すると、上記動作部電源供給部から上記動作制御部に電源供給させることを主要な特徴とする。
【発明の効果】
【０００５】
省電力モードに於いて、オペレータ操作を検出する検出器に間欠的に電源を供給し、監視部が検出器の出力変化を監視し、出力変化を検出すると、上記動作部電源供給部から上記動作部に対して電源供給させるので、消費する電力を最小限に留めた上で、省電力モードでもオペレータ操作を的確に検出することが可能になるという効果を得る。
【実施例１】
【０００６】
図１は、本発明による画像形成装置の構成の説明図である。
図１を用いて本発明による画像形成装置の主要構成部分、及びその動作について説明する。給紙トレー２にセットされた媒体３はホッピングローラ１が回転することにより給紙ローラ４まで搬送される。搬送された媒体３は給紙ローラ４が回転することによりベルト６まで搬送される。搬送された媒体３はベルト６により定着器７まで搬送される。この時ＬＥＤヘッド３０、３１、３２、３３及びドラムユニット８、９、１０、１１によって媒体３の表面に画像が形成される。この画像は、定着器７によって加熱、加圧され媒体３の表面に定着される。この媒体３はスタッカ１７に排出される。
【０００７】
給紙センサ５と排出センサ１６は、媒体３が正常に通過したかどうかを監視するセンサであり、もし異常があれば、紙詰まりを制御装置２１に通知する。制御装置２１は異常を検知すると、直ちに印刷動作を停止する。更に、オペレータパネル部２０に検出された内容を表示し、ユーザに解除を要求する。ユーザが紙詰まりを解除するときには、装置カバー１８を開き、内部に詰まった用紙を除去後、装置カバー１８を閉じることになる。カバー開閉光センサ１９は、装置カバー１８が開いているか、閉じているかを検出して制御装置２１に通知する。
【０００８】
また、ドラムユニット８、９、１０、１１に装着されているトナーカートリッジ１２、１３、１４、１５のトナーがなくなったために交換する場合や、ドラムユニット８、９、１０、１１や定着器７の寿命により交換する場合には、装置カバー１８が開閉される。ユーザが媒体を補充する場合には、給紙トレー２を引き出され、媒体補充後に、給紙トレー２は再度挿入される。給紙トレー挿抜光センサ２２は給紙トレーが引き抜かれているか、挿入されているのかを検知して制御装置２１に通知するセンサである。なお、制御装置２１は動作部６０及びコントローラ部４０で構成されており、その詳細について以下に説明する。
【０００９】
図２は、実施例１の制御系統のブロック図である。
図に示すように、電源ユニット２３は、ＡＣ入力７５をＤＣ変換し、コントローラ部４０にコントローラ電源７１を供給するコントローラ部電源供給部７０と、動作部電源ＯＮ／ＯＦＦ信号５３に基づいて動作部６０に動作部電源７４を供給する動作部電源供給部７２とを有している。
【００１０】
コントローラ部４０は、コントローラ電源７１を電力とする、オペレータパネル部２０、情報処理部４２、センサ変化検出部４７、センサ電源供給部４９を有している。オペレータパネル部２０はパネルの操作状況を検出し、パネルデータ４３を情報処理部４２に出力すると共に、情報処理部４２からパネル表示指示を行うためのパネルデータ４３を受入れてパネルに表示する部分である。
【００１１】
情報処理部４２は、ＣＰＵ等の論理演算機能を有し、通信データ４１を用いて外部装置４４と通信する機能、オペレータパネル部２０と通信する機能、センサ監視周期を設定し、センサ監視周期設定信号４５を出力する機能、センサ変化通知信号４６を取り込む機能、制御部間通信６２を用いて動作制御部６１と通信する機能、印刷データを描画展開し展開データ６３をＬＥＤヘッドデータ送信部６４に送信する機能、装置の省力化モードへの移行を制御する機能、及び省力化モードから待機又は印刷モードへの復帰を制御する機能を有する部分である。
【００１２】
センサ変化検出部４７はセンサ監視周期設定信号４５で設定された周期で、センサ入力信号の変化の有無を検出し、センサ変化通知信号４６を情報処理部４２に出力する部分である。更に、センサ電源供給部４９に対して上記センサ監視周期に対応するセンサ電源供給ＯＮ／ＯＦＦ信号４８を出力する部分である。センサ電源供給部４９は、センサ変化検出部４７からセンサ電源供給ＯＮ／ＯＦＦ信号４８を受入れて、給紙トレー挿抜光センサ２２及びカバー開閉光センサ１９に対してセンサ電源を供給する部分である。
【００１３】
給紙トレー挿抜光センサ２２及びカバー開閉光センサ１９は、そのセンサ出力である給紙トレー挿入光センサ出力５０、カバー開閉光センサ出力５１を動作制御部６１とセンサ変化検出部４７にそれぞれ出力する部分である。動作部６０は、動作制御部６１、ＬＥＤヘッドデータ送信部６４、モータ駆動部２５、排出センサ１６、給紙センサ５を有し、動作部電源７４を電力とし、印刷処理を実行する部分である。
【００１４】
動作制御部６１は、ＣＰＵ等の論理演算機能を有し、情報処理部４２から印刷コマンドを受信すると、モータ駆動制御信号６５を出力し、モータ駆動部２５の制御を行うと共に、センサ入力を監視し媒体の搬送状況（媒体搬送ジャムが発生したか否か）、搬送状況以外の装置状況（カバー開閉が行われたか否か、給紙トレーが抜かれたか否か）を監視し、異常と判断した場合には駆動を停止させると共に、情報処理部４２に、監視エラー情報を通知する機能を有する部分である。
【００１５】
ＬＥＤヘッドデータ送信部６４は、各ＬＥＤヘッド毎の展開データ６３を媒体の搬送状況に応じてＬＥＤヘッド３０、３１、３２、３３へ搬送する機能を有する部分である。排出センサ１６及び給紙センサ５は、そのセンサ出力を動作制御部６１に出力しているセンサである。
【００１６】
図３は、実施例１の光センサ電力供給回路の回路図である。
図３を使用して、センサ電源供給部４９、給紙トレー挿抜光センサ２２、カバー開閉光センサ１９の回路構成を説明する。この回路は、給紙トレー挿抜光センサ２２、カバー開閉光センサ１９及び給紙トレー挿抜光センサ２２、及び、カバー開閉光センサ１９に通電をＯＮ／ＯＦＦする為のスイッチングトランジスタ７３を有している。
【００１７】
給紙トレー挿抜光センサ２２は、フォトダイオード８１とフォトトランジスタ８２で構成されている。給紙トレー挿抜光センサ２２は給紙トレーが挿入されると、フォトダイオード８１とフォトトランジスタ８２の間に光遮断材が入り込むように構成される光センサである。フォトダイオード８１はそのアノードが抵抗８０を介して、センサ電源供給部４９としてのスイッチングトランジスタ７３のコレクタに、カソードがグランドに接続されている。また、カバー開閉光センサ１９は、フォトダイオード８４と、フォトトランジスタ８５で構成されている。カバー開閉光センサ１９は、カバーが閉じられると，フォトダイオード８４とフォトトランジスタ８５の間に光遮断材が入り込むように構成される光センサである。フォトダイオード８４は、そのアノード抵抗８３を介して、センサ電源供給部４９としてのスイッチングトランジスタ７３のコレクタに、カソードがグランドに接続されている。
【００１８】
一方、フォトトランジスタ８２は、そのコレクタがコントローラ電源７１にバイアス抵抗８６を介して接続され、エミッタがグランドに接続されている。フォトトランジスタ８２は、フォトダイオード８１が発する光を受けた時にＯＮ状態となり、コレクタの出力電圧をＬレベルにする。そして、フォトトランジスタ８２のコレクタ電圧は、給紙トレー挿抜光センサ２２のセンサ出力５０となる。また、フォトトランジスタ８５は、コレクタがコントローラ電源７１にバイアス抵抗８７を介して接続され、エミッタがグランドに接続されている。フォトトランジスタ８５は、フォトダイオード８４が発する光を受けた時にＯＮ状態となり、コレクタの出力電圧をＬレベルにする。そして、フォトトランジスタ８５のコレクタ電圧は、カバー開閉光センサ１９のセンサ出力５１となる。スイッチングトランジスタ７３はそのエミッタがコントローラ電源７１に、ベースがセンサ電源供給ＯＮ／ＯＦＦ信号４８に接続されている。
【００１９】
従って、スイッチングトランジスタ７３は、そのベースに加えられるセンサ電源供給ＯＮ／ＯＦＦ信号４８によってＯＮ／ＯＦＦ状態が切り替えられる。スイッチングトランジスタ７３がＯＮ状態の時はコレクタ・エミッタを介してコントローラ電源７１をフォトダイオード８１に接続するのでフォトダイオード８１に電流が流れて発光する。スイッチングトランジスタ７３がＯＦＦの時は、電流が流れないのでフォトダイオードは発光しない。
【００２０】
本実施例における情報処理部４２（図１）の動作について説明する。最初に印刷及び待機状態から省電力モードへの移行動作について説明し、続いて、省電力モード及び省電力モードから印刷及び待機状態への復帰動作について説明する。
図４は、実施例１の印刷及び待機の処理フローチャートである。
［動作説明の前提条件］
省電力モードへの移行は、所定の時間（Ｔ１）印刷可能状態での待機状態を維持した後とする。以下に図２を併用しながらフローに沿って詳細に説明する。
【００２１】
ステップＳ１−１
電源ユニット２３のＡＣ入力が行われる（ＰＯＷＥＲ  ＯＮ）とコントローラ電源７１がコントローラ部４０に供給される。
【００２２】
ステップＳ１−２
情報処理部４２によって、動作部電源ＯＮ／ＯＦＦ信号５３がＯＮにセットされる。更に、動作部６０に動作部電源７４が供給される。当然ながら、電源が供給されるので動作部６０も機能を開始する。
【００２３】
ステップＳ１−３
情報処理部４２によって、センサ監視周期設定信号４５が常時監視にセットされる。この時のセンサ変化検出部４７及び光センサの動作は、後に詳細に説明する。
【００２４】
ステップＳ１−４
情報処理部４２は、内部に有するタイマ（図示しない）をリセットし、省電力モード移行のための計時（Ｔ１）を開始する。
【００２５】
ステップＳ１−５
情報処理部４２は、動作制御部６１が、各センサによりエラーを検出しているかどうか判定する。（エラーとは動作制御部６１が入力されているセンサ出力を読み込み判定し印刷動作可能でない状態を示す。）エラーが検出されていれば、Ｓ１−６へ進み、エラーが検出されていなければ、ステップＳ１−９へ進む。
【００２６】
ステップＳ１−６
情報処理部４２は、動作制御部６１からエラー内容を入手し、エラー内容をオペレータパネル部２０に表示すると共に、外部装置４４に通知する。（例えば、エラーの内容がカバー開閉状態ならば、カバーオープンを通知する。）
【００２７】
ステップＳ１−７
情報処理部４２は、動作制御部６１のエラー要因が解除されたかを判断し、エラー要因が解除されるまでステップＳ１−７の動作を繰り返し、エラー要因が解除されれば、ステップＳ１−８へ進む。
【００２８】
ステップＳ１−８
情報処理部４２は、オペレータパネル部２０にエラーが解除された旨の表示を行うと共に、外部装置４４へエラー解除の通知を行い、ステップＳ１−４へ進む。
【００２９】
ステップＳ１−９
情報処理部４２は、外部装置４４より印刷データを受信したかどうかの確認を行う。印刷データを受信していれば、ステップＳ１−１０へ進み、受信していなければ、ステップＳ１−１３へ進む。
【００３０】
ステップＳ１−１０
情報処理部４２は、受信した印刷データを描画展開処理し、ＬＥＤヘッドデータ送信部６４に展開データ６３を送信すると共に動作制御部６１に印刷コマンドを送信し、ステップＳ１−１１へ進む。（動作制御部６１は印刷動作を実行する。）
【００３１】
ステップＳ１−１１
情報処理部４２は、動作制御部６１の印刷動作中にエラーが発生したかどうかを確認する。エラーが発生していれば、Ｓ１−６へ進む。エラーが発生していなければ、Ｓ１−１２へ進む。
【００３２】
ステップＳ１−１２
情報処理部４２は、動作制御部６１の印刷動作が終了したかどうかを確認する。印刷動作未終了ならば、ステップＳ１−１１へ進む。印刷動作が終了していれば、ステップＳ１−４へ進む。
【００３３】
ステップＳ１−１３
情報処理部４２は、ステップＳ１−４でリセットしたタイマが省電力モード移行時間Ｔ１を経過したかどうかを判断する。タイマ値＞Ｔ１ならば、Ｓ１４へ進む。タイマ値≦Ｔ１ならばＳ１−５へ進む。
【００３４】
ステップＳ１−１４
情報処理部４２は、省電力モードへ移行してフローを終了する。
続いて省電力モード及び省電力モードからの復帰の動作について説明する。
【００３５】
図５は、実施例１の省電力モードの処理フローチャートである。
ステップＳ１−２１
情報処理部４２は、動作部電源ＯＮ／ＯＦＦ信号５３をＯＦＦにセットする。その結果、動作部６０に動作部電源７４が供給されない。（当然ながら、電源が供給されないので、動作部６０は機能しない。）
【００３６】
ステップＳ１−２２
情報処理部４２は、センサ監視周期設定信号４５を周期監視にセットする。この時のセンサ変化検出部４７及びセンサ検出部の動作は、後に詳細に説明する。
【００３７】
ステップＳ１−２３
情報処理部４２は、センサ変化通知信号４６が入力されたかどうかを判定する。センサ変化通知信号４６が入力されていれば、ステップＳ１−２４へ進み、入力されていなければ、ステップＳ１−３０へ進む。
【００３８】
ステップＳ１−２４
情報処理部４２は、動作部電源ＯＮ／ＯＦＦ信号５３をＯＮにセットする。動作部６０に動作部電源７４が供給される。
【００３９】
ステップＳ１−２５
情報処理部４２は、センサ監視周期設定信号４５を常時監視にセットする。
【００４０】
ステップＳ１−２６
情報処理部４２は、動作制御部６１がエラーを検出しているかどうかを判定する。エラーを検出していれば、ステップＳ１−２７へ進み、エラーを検出していなければ、ステップＳ１−２１へ進む。尚、ここでエラーの検出については、各センサから状態の変化を示す信号が所定時間、例えば、３秒以上継続して出力された場合にエラーが検出されたと判断する。これにより、例えば、オペレータが瞬間的にカバーの開閉やトレーの挿抜を行った場合に相当する、擬似エラーの検出を排除することが出来る。
【００４１】
ステップＳ１−２７
情報処理部４２は、動作制御部６１のエラー内容を入手し、エラー内容をオペレータパネル部２０に表示すると共に、外部装置４４に通知する。
【００４２】
ステップＳ１−２８
情報処理部４２は、ステップＳ１−２７で入手した動作制御部６１のエラー要因が解除されたかどうかを確認する。エラー要因が解除されなければ、再度Ｓ１-２８で解除待ちとなる。エラーが解除されれば、ステップＳ１−２９へ進む。
【００４３】
ステップＳ１−２９
情報処理部４２は、オペレータパネル部２０にエラーが解除された旨の表示を行うと共に、外部装置４４へエラー解除の通知を行い、ステップＳ１−２１へ進む。
【００４４】
ステップＳ１−３０
情報処理部４２は、外部装置４４より印刷データを受信したかどうかの確認を行う。印刷データを受信していれば、Ｓ１−２（省電力モードからの復旧に）に進み、受信していなければ、Ｓ１−３１へ進む。
【００４５】
ステップＳ１−３１
情報処理部４２は、オペレータパネル部２０が操作されたかどうかを判定する。オペレータパネル部２０が操作されていれば、Ｓ１−２（省電力モードからの復旧）に進み、操作されていなければ、ステップＳ１−２３に戻る。
【００４６】
以上説明した動作をタイムチャートを用いて再度説明する。
図６は、実施例１の電源供給制御のタイムチャートである。
図の上から順番に、センサ電源供給ＯＮ／ＯＦＦ信号４８の信号レベル、センサ電源供給５２の状態、給紙トレー挿抜光センサ出力５０の信号レベル、オペレータ操作の状態、カバー開閉光センサ出力５１の信号レベル、センサ変化通知信号４６の信号レベル、動作部電源７４の状態、印刷データ受信状態、装置状態を表し、最下段に各項目共通の時間経過（時刻ｔ）を表している。
【００４７】
時刻ｔ０（印刷待機状態にある）
動作部電源ＯＮ／ＯＦＦ信号５３がＯＮにセットされている。更に、動作部６０に動作部電源７４が供給されている。当然ながら、電源が供給されるので動作部６０も機能する状態である。
【００４８】
時刻ｔ１
情報処理部４２によって、センサ監視周期設定信号４５が常時監視にセットされると、センサ電源供給ＯＮ／ＯＦＦ信号４８がＯＮ（Ｌレベル）に固定され、給紙トレー挿抜光センサ２２及びカバー開閉光センサ１９に電源が供給されることでセンサ出力が有効になる。（Ｓ１−３処理時点でカバーは閉状態、トレーユニットは挿入状態である。）
【００４９】
時刻ｔ２
オペレータ操作Ａ１でカバーが開かれると、センサ変化通知信号４６にパルスＰ１を出力する。しかし、図４で説明した様に、情報処理部４２は印刷時、待機時（印刷待ち）のフローでは、入力判定は行っていない（動作制御部６１が稼動しているので本発明の目的を達成することは出来ないので）のでパルスＰ１事実上無視される。但し、給紙トレー挿抜光センサ２２及びカバー開閉光センサ１９に電力が供給されているので、動作制御部６１は給紙トレー挿抜光センサ出力５０及びカバー開閉光センサ出力５１の検出は可能である。
【００５０】
時刻ｔ３
オペレータ操作Ａ２でカバーが閉じられると、センサ変化通知信号４６にパルスＰ２を出力する。しかし、図４で説明した様に、情報処理部４２は印刷時、待機時（印刷待ち）のフローでは、入力判定は行っていない（動作制御部６１が稼動しているので本発明の目的を達成することは出来ないので）のでパルスＰ２事実上無視される。
【００５１】
時刻ｔ４
パルスＰ２からＴ１時間経過したので省電力モードに移行する（ステップＳ１−２１）。図５のステップＳ１−２２でセンサ監視周期設定が例えば１秒周期監視に設定されると、センサ電源供給ＯＮ／ＯＦＦ信号４８は１秒周期のパルス波形になる。センサ電源供給ＯＮ／ＯＦＦ信号４８がＬレベル時のみ、給紙トレー挿抜光センサ２２及びカバー開閉光センサ１９に電源が供給され、センサ出力が有効になる。この時のＬレベル幅は、使用される光センサ出力応答時間（センサ電力供給からセンサ出力が安定するまでの時間）より長い時間であり、通常１０ｍｓ程度である。
【００５２】
時刻ｔ５
オペレータ操作Ａ３で給紙トレーが引き抜かれるとセンサ変化通知信号４６にパルスＰ３を出力する。図５で説明した様に、情報処理部４２が省電力モードのフローでは、情報処理部４２はセンサ変化通知信号４６の入力判定を行っているので、パルスＰ３はステップＳ１−２３からステップＳ１−２４への移行条件となっている。
【００５３】
時刻ｔ６
ステップＳ１−２４で動作部６０に電源が供給され、ステップＳ１−２５にて再びセンサ監視周期が常時監視に設定されるので動作制御部６１は給紙トレー挿抜光センサ出力５０及びカバー開閉光センサ出力５１検出が可能になる。
【００５４】
時刻ｔ７
オペレータ動作Ａ４にて給紙トレーが挿入されるとセンサ変化通知信号４６にパルスＰ４を出力するが、ステップＳ１−２５〜ステップＳ１−２９で情報処理部４２はセンサ変化通知信号４６の入力判定は行っていないのでパルスＰ４事実上無視される。一方、給紙トレー挿抜光センサ２２及びカバー開閉光センサ１９に電力が供給されているので、動作制御部６１は給紙トレー挿抜光センサ出力５０及びカバー開閉光センサ出力５１検出可能であり、給紙トレーの挿入は動作制御部６１で検出され、ステップＳ１−２８からステップＳ１−２９への移行条件となる。
【００５５】
時刻ｔ８
ステップＳ１−３０で印刷データ受信したので省電力モードから印刷モードへ移行する。
【００５６】
以上説明したように、本実施例によれば、省電力モードで動作部６０の供給電力を電源供給側からＯＦＦし、オペレータの操作に関するセンサ、例えば、カバー開閉光センサ１９、給紙トレー挿抜光センサ２２に間欠的に電源を供給し、光センサの変化状況を監視し、変化があった場合のみ、動作部６０に電力を供給し、光センサに基づく装置の状況を把握できるようにしたので、消費する電力を最小限に留めた上で、省電力モードでもオペレータによる装置の操作がタイムリーに検出できるという効果を得る。
【実施例２】
【００５７】
上記実施例１では、給紙トレー挿抜光センサ２２とカバー開閉光センサ１９へ同一タイミングで間欠的に電源を供給したが、かかる場合には、供給電流の最大値が大きくなってしまう。本実施例では、かかる状態を排除し、センサ電源供給部４９−２のピーク電流をより一層抑制することを目的とする。
【００５８】
図７は、実施例２の制御系統のブロック図である。
図に示すように、電源ユニット２３は、ＡＣ入力７５をＤＣ変換し、コントローラ部４０−２にコントローラ電源７１を供給するコントローラ部電源供給部７０と、動作部電源ＯＮ／ＯＦＦ信号５３に基づいて動作部６０に動作部電源７４を電力供給する動作部電源供給部７２とを有している。以下に実施例１との相違部分のみについて説明する。実施例１と同様の部分については実施例１と同一の符号を付して説明を省略する。
【００５９】
コントローラ部４０−２は、コントローラ電源７１を電力とする、オペレータパネル部２０、情報処理部４２、センサ変化検出部４７、センサ電源供給部４９−２を有している。
【００６０】
図８は、実施例２の光センサ電力供給回路の回路図である。
図８を使用して、センサ電源供給部４９−２、給紙トレー挿抜光センサ２２、カバー開閉光センサ１９の回路構成を説明する。この回路は、給紙トレー挿抜光センサ２２、カバー開閉光センサ１９及び給紙トレー挿抜光センサ２２、及び、カバー開閉光センサ１９に通電をＯＮ／ＯＦＦする為のセンサ電源供給部４９−２としてのスイッチングトランジスタ７３−１及び７３−２を有している。
【００６１】
給紙トレー挿抜光センサ２２は、フォトダイオード８１とフォトトランジスタ８２で構成され、給紙トレーが挿入されると、フォトダイオード８１とフォトトランジスタ８２の間に光遮断材が入り込むように構成される光センサである。フォトダイオード８１はそのアノードが抵抗８０を介して、スイッチングトランジスタ７３−１のコレクタに、カソードがグランドに接続されている。フォトトランジスタ８２は、そのコレクタがコントローラ電源７１にバイアス抵抗８６を介して接続され、エミッタがグランドに接続されている。また、フォトトランジスタ８２のコレクタ電圧は、給紙トレー挿抜光センサ出力５０となる。
【００６２】
カバー開閉光センサ１９はフォトダイオード８４とフォトトランジスタ８５で構成され、カバーが閉じられると、フォトダイオード８４とフォトトランジスタ８５の間に光遮断材が入り込むように構成される光センサである。フォトダイオード８４はそのアノードが抵抗８３を介して、スイッチングトランジスタ７３−２のコレクタに、カソードがグランドに接続されている。フォトトランジスタ８５は、そのコレクタがコントローラ電源７１にバイアス抵抗８７を介して接続され、エミッタがグランドに接続されている。また、フォトトランジスタ８５のコレクタ電圧は、カバー開閉光センサ出力５１となる。
【００６３】
給紙トレー挿抜光センサ２２のフォトトランジスタ８２は、フォトダイオード８１が発する光を受けた時にＯＮ状態となって、コレクタの出力電圧をＬレベルにする。また、カバー開閉光センサ１９のフォトトランジスタ８５は、フォトダイオード８４が発する光を受けたときにＯＮ状態となって、コレクタの出力電圧をＬレベルにする。スイッチングトランジスタ７３−１、及び７３−２はそのエミッタがコントローラ電源７１に接続されている。また、スイッチングトランジスタ７３−１のベースは、センサ電源供給ＯＮ／ＯＦＦ信号４８−１に接続されて、スイッチングトランジスタ７３−２のベースは、センサ電源供給ＯＮ／ＯＦＦ信号４８−２に接続されている。
【００６４】
従って、スイッチングトランジスタ７３−１、及び７３−２は、そのベースに加えられる給紙トレー挿抜センサ電源供給ＯＮ／ＯＦＦ信号４８−１、及びカバー開閉センサ電源供給ＯＮ／ＯＦＦ信号４８−２によってＯＮ／ＯＦＦ状態が切り替えられる。尚、給紙トレー挿抜センサ電源供給ＯＮ／ＯＦＦ信号４８−１、及びカバー開閉センサ電源供給ＯＮ／ＯＦＦ信号４８−２には、図示しないパルスシフト手段によって一例として約１０ｍＳｅｃ（両信号が同時にＯＮしない時間）タイミング差が設けられている。スイッチングトランジスタ７３−１、及び７３−２がＯＮ状態の時はコレクタ・エミッタを介してコントローラ電源７１をフォトダイオード８１及び８４に接続するのでフォトダイオード８１及び８４に電流が流れて発光する。スイッチングトランジスタ７３−１及び７３−２がＯＦＦの時は、電流が流れないのでフォトダイオード８１及び８４は発光しない。
【００６５】
次に本実施例の動作について説明する。本実施例における印刷及び待機状態から省電力モードへの移行動作、及び省電力モードから印刷及び待機状態への復帰動作については、その動作内容は、実施例１と同様であり、相違する部分は、各動作の動作タイミングのみである。そこで、省電力モード及び省電力モードから印刷及び待機状態への復帰動作、及び省電力モードから印刷及び待機状態への復帰動作の動作内容については説明を省略し、タイムチャートを用いて各動作のタイミングを主にして説明する。
【００６６】
図９は、実施例２の電源供給制御のタイムチャートである。
図の上から順番に、給紙トレー挿抜センサ電源供給ＯＮ／ＯＦＦ信号４８−１の信号レベル、給紙トレー挿抜光センサ電源供給５２−1の状態、カバー開閉センサ電源供給ＯＮ／ＯＦＦ信号４８−２の信号レベル、カバー開閉光センサ電源供給５２−２の状態、給紙トレー挿抜光センサ出力５０の信号レベル、オペレータ操作の状態、カバー開閉光センサ出力５１の信号レベル、センサ変化通知信号４６の信号レベル、動作部電源７４の状態、印刷データ受信状態、装置状態を表し、最下段に各項目共通の時間経過（時刻ｔ）を表している。
【００６７】
時刻ｔ０（印刷待機状態にある）
動作部電源ＯＮ／ＯＦＦ信号５３がＯＮにセットされている。更に、動作部６０に動作部電源７４が供給されている。当然ながら、電源が供給されるので動作部６０も機能する状態である。
【００６８】
時刻ｔ１
情報処理部４２によって、センサ監視周期設定信号４５が常時監視にセットされると、センサ電源供給ＯＮ／ＯＦＦ信号４８がＯＮ（Ｌレベル）に固定され、給紙トレー挿抜光センサ２２及びカバー開閉光センサ１９に電源が供給されることでセンサ出力が有効になる。Ｓ１−３処理時点でカバーは閉状態、トレーユニットは挿入状態である。
【００６９】
時刻ｔ２
オペレータ操作Ａ１でカバーが開かれると、センサ変化通知信号４６にパルスＰ１を出力する。しかし、図４で説明した様に、情報処理部４２は印刷時、待機時（印刷待ち）のフローでは、入力判定は行っていないのでパルスＰ１事実上無視される。但し、給紙トレー挿抜光センサ２２及びカバー開閉光センサ１９に電力が供給されているので、動作制御部６１は給紙トレー挿抜光センサ出力５０及びカバー開閉光センサ出力５１検出が可能である。
【００７０】
時刻ｔ３
オペレータ操作Ａ２でカバーが閉じられると、センサ変化通知信号４６にパルスＰ２を出力する。しかし、図４で説明した様に、情報処理部４２は印刷時、待機時（印刷待ち）のフローでは、入力判定は行っていないのでパルスＰ２事実上無視される。
【００７１】
時刻ｔ４
パルスＰ２からＴ１時間経過したので省電力モードに移行する（ステップＳ１−２１）。図５のステップＳ１−２２でセンサ監視周期設定が例えば１秒周期監視に設定されると、給紙トレー挿抜センサ電源供給ＯＮ／ＯＦＦ信号４８−１は１秒周期のパルス波形になる。センサ電源供給ＯＮ／ＯＦＦ信号４８がＬレベル時のみ、給紙トレー挿抜光センサ２２に電源が供給され、センサ出力が有効になる。この時のＬレベル幅は、使用される光センサ出力応答時間（センサ電力供給からセンサ出力が安定するまでの時間）より長い時間であり、通常１０ｍｓ程度である。
【００７２】
時刻ｔ５
給紙トレー挿抜センサ電源供給ＯＮ／ＯＦＦ信号４８−１、及びカバー開閉センサ電源供給ＯＮ／ＯＦＦ信号４８−２には、センサ変化検出部４７に設けられた図示しないパルスシフト手段によって一例として約１０ｍｓタイミング差が設けられているので時刻ｔ４から約１０ｍｓ遅れたタイミングでカバー開閉センサ電源供給ＯＮ／ＯＦＦ信号４８−２は１秒周期のパルス波形になる。上述したように、センサ電源供給ＯＮ／ＯＦＦ信号４８−１及び４８−２におけるＬレベル幅は、１０ｍｓであるため、両者の間に１０ｍｓのずれを設けることにより、給紙トレー挿抜光センサ２２と、カバー開閉光センサ１９の両方に同時に電源が供給されることは無い。
【００７３】
時刻ｔ６
オペレータ操作Ａ３で給紙トレーが引き抜かれるとセンサ変化通知信号４６にパルスＰ３を出力する。図５で説明した様に、情報処理部４２が省電力モードのフローでは、情報処理部４２はセンサ変化通知信号４６の入力判定を行っているので、パルスＰ３はステップＳ１−２３からステップＳ１−２４への移行条件となっている。
【００７４】
時刻ｔ７
ステップＳ１−２４で動作部６０に電源が供給され、ステップＳ１−２５にて再びセンサ監視周期が常時監視に設定されるので動作制御部６１は給紙トレー挿抜光センサ出力５０及びカバー開閉光センサ出力５１検出が可能になる。
【００７５】
時刻ｔ８
オペレータ動作Ａ４にて給紙トレーが挿入されるとセンサ変化通知信号４６にパルスＰ４を出力するが、ステップＳ１−２５〜ステップＳ１−２９で情報処理部４２はセンサ変化通知信号４６の入力判定は行っていないのでパルスＰ４事実上無視される。一方、給紙トレー挿抜光センサ２２及びカバー開閉光センサ１９に電力が供給されているので、動作制御部６１は給紙トレー挿抜光センサ出力５０及びカバー開閉光センサ出力５１検出可能であり、給紙トレーの挿入は動作制御部６１で検出され、ステップＳ１−２８からステップＳ１−２９への移行条件となる。再度給紙トレー挿抜センサ電源供給ＯＮ／ＯＦＦ信号４８−１は１秒周期のパルス波形になる。
【００７６】
時刻ｔ９
給紙トレー挿抜センサ電源供給ＯＮ／ＯＦＦ信号４８−１、及びカバー開閉センサ電源供給ＯＮ／ＯＦＦ信号４８−２には、センサ変化検出部４７に設けられた図示しないパルスシフト手段によって一例として約１０ｍＳｅｃタイミング差が設けられているので時刻ｔ８から約１０ｍＳｅｃ遅れたタイミングでカバー開閉センサ電源供給ＯＮ／ＯＦＦ信号４８−２は１秒周期のパルス波形になる。
【００７７】
時刻ｔ１０
ステップＳ１−３０で印刷データ受信したので省電力モードから印刷モードへ移行する。
【００７８】
以上説明したように、本実施例によれば、センサ電源供給部４９−２に、給紙トレー挿抜光センサ２２への電源供給用のスイッチングトランジスタ７３−１と、カバー開閉光センサ１９への電源供給用のスイッチングトランジスタ７３−２とをそれぞれ別個に設け、給紙トレー挿抜光センサ２２と、カバー開閉光センサ１９に異なるタイミングで電源を供給するようにしている。これにより、両センサへの電源供給が同時に重複することを回避することが出来るので、実施例１の効果に加えて、センサ電源供給部４９−２のピーク電流を抑制することが出来るという効果を得る。その結果、構成部品のコスト低減に寄与するという効果をも得る。
【産業上の利用可能性】
【００７９】
実施例では、本発明を画像形成装置に適用した場合について説明したが、本発明はこの例に限定されるものではない。即ち、本実施例における動作部と、コントローラ部とを画像読取部と、画像処理部に適用することによって、本発明をスキャナ装置や、複合装置にも適用可能である。更に、本実施例における動作部と、コントローラ部とをディスク回転制御部と、データ復調部に適用することによって、本発明をＣＤ／ＭＤプレーヤにも適用可能である。又、上記実施例の説明では、センサを光センサに限定して説明したが、本発明は、この例に限定されるものでは無い、即ち、本発明を磁気センサに適用することも可能である。
【図面の簡単な説明】
【００８０】
【図１】本発明による画像形成装置の構成の説明図である。
【図２】実施例１の制御系統のブロック図である。
【図３】実施例１の光センサ電力供給回路の回路図である。
【図４】実施例１の印刷及び待機の処理フローチャートである。
【図５】実施例１の省電力モードの処理フローチャートである。
【図６】実施例１の電源供給制御のタイムチャートである。
【図７】実施例２の制御系統のブロック図である。
【図８】実施例２の光センサ電力供給回路の回路図である。
【図９】実施例２の電源供給制御のタイムチャートである。
【符号の説明】
【００８１】
５    給紙センサ
１６    排出センサ
１９    カバー開閉光センサ
２０    オペレータパネル部
２２    給紙トレー挿抜光センサ
２３    電源ユニット
２５    モータ駆動部
４０    コントローラ部
４１    通信データ
４２    情報処理部
４３    パネルデータ
４４    外部装置
４５    センサ監視周期設定信号
４６    センサ変化通知信号
４７    センサ変化通知検出部
４８    センサ電源供給ＯＮ／ＯＦＦ信号
４９    センサ電源供給部
５０    給紙トレー挿抜光センサ出力
５１    カバー開閉光センサ出力
５２    センサ電源供給
５３    動作部電源ＯＮ／ＯＦＦ信号
６０    動作部
６１    動作制御部
６２    制御部間通信
６３    展開データ
６４    ＬＥＤヘッドデータ送信部
６５    モータ駆動制御信号
７０    コントローラ部電源供給部
７１    コントローラ電源
７２    動作部電源供給部
７５    ＡＣ入力
７４    動作部電源
【図１】
2007268786.tif 000003
【図２】
2007268786.tif 000004
【図３】
2007268786.tif 000005
【図４】
2007268786.tif 000006
【図５】
2007268786.tif 000007
【図６】
2007268786.tif 000008
【図７】
2007268786.tif 000009
【図８】
2007268786.tif 000010
【図９】
2007268786.tif 000011